(57)【要約】【課題】ポンプの部品点数を減少し、かつ組立性を向上することで、ポンプのコストを削減するとともに小形化及びポンプ性能の向上を図ることができるポンプを提供する。【解決手段】ポンプ１の縦軸方向にポンプ部１４と該ポンプ部とオイルシール３６により隔離されたモータ部１３とを有し、回転軸３３が前後の軸受３４、３５に回転自在に支持された回転子３１と、前記回転子３１の外周部に配された固定子３２とからなるモータ３０が前記モータ部１３に配され、前記回転軸３３に装着された羽根車５０が前記ポンプ部１４に配されたポンプ１において、前記ポンプ部１４とモータ部１３が一体に形成されたケーシング１０が、前記回転軸３３の軸心Ｃに沿う合わせ面２０、２１を有する２つ割りの上下ケーシング１１、１２よりなり、前記ポンプ部１４内を連通する吸水口１５と吐出口１６とが前記ケーシング１０に設けられる。【選択図】図２
2007162504.tif 000002
【特許請求の範囲】
【請求項１】
ポンプの縦軸方向にポンプ部と該ポンプ部と防水部材により隔離されたモータ部とを有し、
回転軸が前後の軸受に回転自在に支持された回転子と、前記回転子の外周部に配された固定子とからなるモータが前記モータ部に配され、
前記回転軸に装着された羽根車が前記ポンプ部に配されたポンプにおいて、
前記ポンプ部とモータ部とが一体に形成されたケーシングが、前記回転軸の軸心に沿う合わせ面を有する２つ割りの分割体よりなり、
前記ポンプ部内を連通する吸水口と吐出口とが前記ケーシングに設けられた
ことを特徴とするポンプ。
【請求項２】
前記分割体が、前記ポンプ部の合わせ面にパッキンを配して接合されている
ことを特徴とする請求項１に記載のポンプ。
【請求項３】
前記パッキンが、前記合わせ面を含み開口する吸水口及び吐出口の開口内周部に密接する筒状部を該パッキンと一体に形成している
ことを特徴とする請求項２に記載のポンプ。
【請求項４】
前記パッキンのモータ部側端部に、前記防水部材の外側合わせ面に嵌め合わされる舌状突出部が設けられている
ことを特徴とする請求項２又は３に記載のポンプ。
【発明の詳細な説明】
【技術分野】
【０００１】
本発明は、ポンプに関し、詳しくはケーシング構造を改良して部品点数を削減するとともに組立性を改善したポンプに関するものである。
【背景技術】
【０００２】
ポンプは、給湯機、洗濯機、床暖房装置等の家庭用装置を始めとして、業務用、産業用の多数の装置において液体等の輸送に利用されている。
【０００３】
このようなポンプの従来例としては、例えば、特許文献１には、ポンプの駆動源であるモータを別体として、その前面に吸込口と吐出口を設けたケーシング内に羽根車を配した渦巻きポンプが開示されている。
【０００４】
また、特許文献２には、ポンプケーシングの上方にオイルケーシングを介して立設されたモータフレーム内にステータが収容され該ステータ内に挿入されたロータの中心からモータ軸を導出してその外周面がモータフレーム下面のハウジングに装着された負荷側の軸受により支承され、その導下先端部がポンプケーシング内の羽根車に装着された竪型電動ポンプが示されている。
【特許文献１】特開平９−１３７７９１号公報
【特許文献２】特開２００５−６１３７７号公報
【発明の開示】
【発明が解決しようとする課題】
【０００５】
しかしながら、上記のような従来のポンプ構造にあっては、モータとポンプ部とが別体からなりモータの前面にポンプ部を構成するケーシングが装着されたり、或いはポンプのポンプ軸方向に多数のケーシングを接合しモータやポンプ部を構成するようになっている。
【０００６】
このため、ポンプを構成するケーシングやパッキンまた接合用ネジ類等の部品点数が多くなり、またポンプの組立時には組立方向が変わるため組み立て作業が煩雑となって組立性が悪く、ポンプのコスト上昇や大形化、さらにはポンプ構造が複雑化しポンプ性能にも影響するという問題がある。
【０００７】
そこで本発明の目的は、ポンプの部品点数を減少し、かつ組立性を向上することで、ポンプのコストを削減するとともに小形化及びポンプ性能の向上を図ることができるポンプを提供することにある。
【課題を解決するための手段】
【０００８】
請求項１に係る発明は、ポンプの縦軸方向にポンプ部と該ポンプ部と防水部材により隔離されたモータ部とを有し、回転軸が前後の軸受に回転自在に支持された回転子と、前記回転子の外周部に配された固定子とからなるモータが前記モータ部に配され、前記回転軸に装着された羽根車が前記ポンプ部に配されたポンプにおいて、前記ポンプ部とモータ部とが一体に形成されたケーシングが、前記回転軸の軸心に沿う合わせ面を有する２つ割りの分割体よりなり、前記ポンプ部内を連通する吸水口と吐出口とが前記ケーシングに設けられたことを特徴とするポンプである。
【０００９】
請求項２に係る発明は、前記分割体が、前記ポンプ部の合わせ面にパッキンを配して接合されていることを特徴とする請求項１に記載のポンプである。
【００１０】
請求項３に係る発明は、前記パッキンが、前記合わせ面を含み開口する吸水口及び吐出口の開口内周部に密接する筒状部を該パッキンと一体に形成していることを特徴とする請求項２に記載のポンプである。
【００１１】
請求項４に係る発明は、前記パッキンのモータ部側端部に、前記防水部材の外側合わせ面に嵌め合わされる舌状突出部が設けられていることを特徴とする請求項２又は３に記載のポンプである。
【発明の効果】
【００１２】
請求項１の発明によれば、ケーシングを回転軸方向に合わせ面を持つ２つ割り分割構造としてケーシングとモータハウジングとを一体化することで、ケーシングを２部品に集約し、かつ各部品をケーシング内に収容した後ケーシングを一体化することができるのでポンプの組み立てを軸長手方向の１方向化とすることができ組立性が向上する。これにより、ポンプの部品点数や組立コストの削減、ポンプの小形化が可能となり、さらにポンプ構造の単純化によりポンプ性能の向上を図ることができる。
【００１３】
請求項２の発明によれば、ポンプ部のケーシング合わせ面からの水漏れを防止することができる。
【００１４】
請求項３の発明によれば、ケーシング合わせ面に開口する吸水口及び吐出口からの水漏れ防止を確実にし、しかもポンプの組立性を損なうことがない。
【００１５】
請求項４の発明によれば、ポンプ部からモータ側への漏水防止をより確実にすることができる。
【発明を実施するための最良の形態】
【００１６】
以下に、本発明に係るポンプの１実施形態について、図面に基づいて説明する。
【００１７】
図１はポンプ１の外観図であり、（ａ）は正面図、（ｂ）は側面図、図２はケーシング内部を示すポンプ構成を説明する概略図、図３は吐出口を正面から見た拡大図である。
【００１８】
図に示すようにポンプ１のケーシング１０は、上下に２分割された合成樹脂製でなる２個のケーシング１１、１２からなり、ポンプ１の縦軸方向にポンプ部１４と該ポンプ部１４とオイルシール３６により隔離防水されたモータ部１３を形成している。
【００１９】
上記ケーシング１１、１２は、ポンプ１のモータ３０の回転軸３３の軸心Ｃに沿う合わせ面２０、２１をモータ部１３とポンプ部１４に有する２つ割りの分割体よりなるものである。また、装置へのポンプ取付部３８が上ケーシング１１のモータ部１３の両側に設けられている。
【００２０】
ポンプ部１４には、下ケーシング１２のポンプ部１４底部に吸水口１５が突出して設けられ、またポンプ部１４の前部には上下のケーシング１１、１２の合わせ面２１に吐出口１６が前方に突出して設けられている。
【００２１】
ポンプ１は、ケーシング１０内部にモータ３０及びポンプの各部品を配置した後、上下ケーシング１１、１２の合わせ面２０、２１を合わせ、かつポンプ部１４の合わせ面２１にはパッキン４０を配して接合され、６ヶ所のネジ１９を締め込み組み立てられる。
【００２２】
モータ部１３には、モータ３０が配置され４ヶ所の支持具３７によりケーシング１１に固定され、回転軸３３がポンプ１の中心に位置するように配置されている。これにより、個別のモータハウジングは不要になる。
【００２３】
モータ３０の回転子３１はマグネットを外周に備え、その回転軸３３がモータ部１３の前後に配された軸受３４、３５に回転自在に軸支され、前記回転子３１の外周部にはコイルを巻回した固定子３２が配置されモータを構成している。図では、制御用の回路基板、配線等は略している。
【００２４】
モータ３０としては、ブラシレス直流モータ、誘導電動機、同期モータなどその種類は特に制限されない。
【００２５】
モータ３０の回転軸３３の先端には、羽根車５０が装着され、羽根車５０はポンプ部１４のポンプ室５１内に配され、吸水口１５と吐出口１６とが羽根車５０を介してポンプ部内部のポンプ室５１内を連通している。
【００２６】
モータ部１３とポンプ部１４との境界は、軸受３５の前方で回転軸３３の外周とケーシング１０内周部の間に配されたオイルシール３６により防水されモータ部１３への水の侵入を防止している。
【００２７】
このポンプ１は、モータ３０の駆動により羽根車５０が回転し、その揚水作用により吸水口１５から吸引した水等を吐出口１６から吐出する。
【００２８】
上記構成によるポンプ１は、ポンプのケーシングを始めパッキン類、組立用部品類等の部品点数を減少し、かつ組立性を向上することで、ポンプのコストを削減するとともに小形化と、構造単純化によるポンプ性能の向上を図ることができる  
また、ポンプ部１４の合わせ面２１には、パッキン４０を配して上下ケーシング１１、１２が接合されている。
【００２９】
このパッキン４０は、ゴムやウレタン、合成樹脂等の防水性材料からなり、上下のケーシング１１、１２の合わせ面２１の外周部に配される本体部４４と、吐出口１６の開口内周部１６ａに密接する筒状部４１をパッキン４０に一体に設けている。
【００３０】
また、パッキン４０は、モータ部１３とポンプ部１４の間に配されたオイルシール３６部分のケーシング１１、１２の合わせ部に嵌め込まれるように、オイルシール３６の外側を覆う舌状の突出部４２がパッキン４０のポンプ部側両端部に設けられている。
【００３１】
ポンプ１のケーシング１０は２つ割りの分割構造であるので、上記のような筒状部４１をケーシングに組み込む作業も容易であり、ポンプ１の組立性を損なうことがない。
【００３２】
上記パッキン４０により、ポンプ部１４のケーシング１１、１２の合わせ面２１からの水漏れを防止するだけでなく、合わせ面２１に形成された吐出口１６からの水漏れを防ぎ、さらにモータ部１３側への漏水防止効果をより確実にすることができる。もちろん、上記筒状部４１や突出部４２を略したパッキンを使用するものでもよい。
【図面の簡単な説明】
【００３３】
【図１】実施形態のポンプの外観図であり、（ａ）は正面図、（ｂ）は側面図である。
【図２】ポンプ構成を説明する概略図である。
【図３】吐出口を正面から見た拡大図である。
【図４】パッキンの平面図である。
【符号の説明】
【００３４】
１……ポンプ
１０……ケーシング
１１……上ケーシング
１２……下ケーシング
１５……吸水口
１６……吐出口
２０、２１……合わせ面
３０……モータ    
３１……回転子
３２……固定子
３３……回転軸
３４、３５……軸受
３６……オイルシール
５０……羽根車
Ｃ……軸心
【図１】
2007162504.tif 000003
【図２】
2007162504.tif 000004
【図３】
2007162504.tif 000005
【図４】
2007162504.tif 000006